【手続補正書】
【提出日】平成27年4月3日(2015.4.3)
【手続補正１】
【補正対象書類名】特許請求の範囲
【補正対象項目名】全文
【補正方法】変更
【補正の内容】
【特許請求の範囲】
【請求項１】
（ａ）周波数領域オーディオ・データに関してトーナリティ検出を遂行して、前記オーディオ・データの少なくとも一部の低周波数帯域の集合の各々の低周波数帯域が顕著なトーン性コンテンツを有するかどうかを指示している補償制御データを生成するステップと、
（ｂ）前記各々の低周波数帯域に対して、前記帯域内の前記オーディオ・データに対する予備的なマスキング値を生成するステップと、
（ｃ）前記各々の低周波数帯域に対して、前記帯域内の前記オーディオ・データに対するマスキング値を決定するステップであり、前記補償制御データにより指示されるように顕著なトーン性コンテンツを有する各々の前記低周波数帯域内の前記オーディオ・データに対する前記マスキング値が、前記帯域内の前記オーディオ・データに対する前記予備的なマスキング値を補正するために低周波数補償を遂行することにより取得され、かつ、前記集合内の各々の他の低周波数帯域内の前記オーディオ・データに対する前記マスキング値は、前記帯域内の前記オーディオ・データに対する前記予備的なマスキング値である、ステップと、を含み、
前記周波数領域オーディオ・データが、前記集合の前記各々の低周波数帯域に対する指数値を含み、かつ、ステップ（ａ）が、前記集合の前記各々の低周波数帯域に対して、前記オーディオ・データの指数値と、対応するテンティングされた指数との間の差の分量を決定するステップ、を含む、
オーディオ符号化方法。
【請求項２】
前記補償制御データが、前記集合の少なくとも１つの帯域が群衆雑音又は拍手を表すかどうかを指示しているものであり、かつ、
ステップ（ｃ）が、
低周波数補償を遂行することなく、前記補償制御データにより指示されるように、拍手又は群衆雑音を表す前記集合の各々の低周波数帯域内の前記オーディオ・データに対してマスキング値を生成するステップ、を含む、
請求項１に記載の方法。
【請求項３】
ステップ（ｃ）が、
顕著なトーン性コンテンツを欠く少なくとも１つの前記低周波数帯域に対する修正された指数を含む修正されたオーディオ・データを生成するために、前記補償制御データにより指示されるように顕著なトーン性コンテンツを欠く前記集合の各々の低周波数帯域内の前記オーディオ・データを再テンティングするステップ、を含む、
請求項１に記載の方法。
【請求項４】
再テンティングする前記ステップが、顕著なトーン性コンテンツを欠く少なくとも１つの前記低周波数帯域に対する前記修正された指数を生成し、次のより高い周波数帯域内の前記オーディオ・データの指数から前記修正された指数を引いたものが、値２、１、０、及び−１のうちの１つを有さなければならない、
請求項３に記載の方法。
【請求項５】
ステップ（ａ）が、
前記オーディオ・データの前記周波数帯域の少なくとも部分集合内の各々の周波数帯域が顕著なトーン性コンテンツを有するかどうかを指示している補償制御データを生成するために、前記オーディオ・データに関してトーナリティ検出を遂行するステップ、を含み、
前記方法が、さらに、
（ｄ）前記補償制御データにより指示されるように顕著なトーン性コンテンツを有する前記オーディオ・データの前記各々の周波数帯域に対して第１の様式でマスキング値補正処理を遂行し、かつ、前記補償制御データにより指示されるように顕著なトーン性コンテンツを欠く前記オーディオ・データの前記各々の周波数帯域に対して第２の様式で前記マスキング値補正処理を遂行するステップ、
を含む、請求項１に記載の方法。
【請求項６】
前記マスキング値補正処理がＢＡＢＮＤＮＯＲＭ処理であり、
ステップ（ｄ）が、
顕著なトーン性コンテンツを有する前記各々の周波数帯域に対して第１のスケーリング定数を用いて前記ＢＡＢＮＤＮＯＲＭ処理を遂行し、かつ、顕著なトーン性コンテンツを欠く前記各々の周波数帯域に対して第２のスケーリング定数を用いて前記ＢＡＢＮＤＮＯＲＭ処理を遂行するステップ、
を含む、請求項５に記載の方法。
【請求項７】
前記差の分量は、
前記オーディオ・データの指数値と、対応するテンティングされた指数との間の平均二乗差の分量である、
請求項１に記載の方法。
【請求項８】
前記補償制御データが、前記集合内の各々の個々の低周波数帯域が顕著なトーン性コンテンツを有するかどうかを指示し、
ステップ（ｃ）において、前記集合内の各々の個々の低周波数帯域に関して、低周波数補償が選択的に遂行されるか又は遂行されない、
請求項１に記載の方法。
【請求項９】
前記補償制御データが、一体で考慮される前記集合内の前記低周波数帯域が顕著なトーン性コンテンツを有するかどうかを指示し、かつ、
前記補償制御データが、一体で考慮される前記集合内の前記低周波数帯域が顕著なトーン性コンテンツを有することを指示する場合に、ステップ（ｃ）において、低周波数補償が、前記集合内のすべての前記低周波数帯域に関して遂行される、
請求項１に記載の方法。
【請求項１０】
周波数領域オーディオ・データに応答して、符号化されたオーディオ・データを生成するように構成されるオーディオ符号化器であって、前記オーディオ・データに関して適応型低周波数補償を遂行することを含み、
前記符号化器は、
前記オーディオ・データの少なくとも一部の低周波数帯域の集合の各々の低周波数帯域が顕著なトーン性コンテンツを有するかどうかを指示している補償制御データを生成するために、前記オーディオ・データに関してトーナリティ検出を遂行するように構成されるトーナリティ検出器と、
前記補償制御データに応答して、前記オーディオ・データの低周波数帯域の前記集合の各々の低周波数帯域に関して低周波数補償を適応的に遂行するように、結合及び構成される低周波数補償段であり、前記各々の低周波数帯域に対して、前記帯域内の前記オーディオ・データに対する予備的なマスキング値を生成すること、及び、前記各々の低周波数帯域に対して、前記帯域内の前記オーディオ・データに対するマスキング値を決定することを含んでいる、低周波数補償段と、
を含み、
前記補償制御データにより指示されるように顕著なトーン性コンテンツを有する各々の前記低周波数帯域内の前記オーディオ・データに対する前記マスキング値が、前記帯域内の前記オーディオ・データに対する前記予備的なマスキング値を補正するように、低周波数補償を遂行することにより取得され、かつ、前記集合内の各々の他の低周波数帯域内の前記オーディオ・データに対する前記マスキング値が、前記帯域内の前記オーディオ・データに対する前記予備的なマスキング値であり、
前記周波数領域オーディオ・データが、前記集合の前記各々の低周波数帯域に対する指数値を含み、かつ、前記トーナリティ検出器が、前記集合の前記各々の低周波数帯域に対して、前記オーディオ・データの指数値と、対応するテンティングされた指数との間の差の分量を決定するように構成される、
オーディオ符号化器。
【請求項１１】
前記補償制御データが、前記集合の少なくとも１つの帯域が群衆雑音又は拍手を表すかどうかを指示している、
請求項１０に記載の符号化器。
【請求項１２】
前記低周波数補償段が、前記補償制御データに応答して、低周波数帯域の前記集合の各々の帯域の前記オーディオ・データへの低周波数補償の適用を適応的に動作可能にするように構成され、
復号器が、前記符号化の間に低周波数補償がいずれかの低周波数帯域に適用されたか否かに関して決定すること又は通知されることなく、前記符号化されたオーディオ・データの復号を遂行することを可能にする様式で行われる、
請求項１０に記載の符号化器。
【請求項１３】
前記低周波数補償段が、前記補償制御データにより指示されるように顕著なトーン性コンテンツを欠く各々の前記低周波数帯域内の前記オーディオ・データを、再テンティングするように構成され、少なくとも１つの修正された指数を含む修正されたオーディオ・データを生成する、
請求項１０に記載の符号化器。
【請求項１４】
前記低周波数補償段が、前記補償制御データにより指示されるように顕著なトーン性コンテンツを欠く各々の前記低周波数帯域内の前記オーディオ・データを、再テンティングするように構成され、
顕著なトーン性コンテンツを欠く少なくとも１つの前記低周波数帯域に対する前記修正された指数を生成することを含み、
次のより高い周波数帯域内の前記オーディオ・データの指数から前記修正された指数を引いたものが、値２、１、０、及び−１のうちの１つを有さなければならない、
請求項１３に記載の符号化器。
【請求項１５】
前記差の分量は、
前記オーディオ・データの指数値と、対応するテンティングされた指数との間の平均二乗差の分量である、
請求項１０に記載の符号化器。
【請求項１６】
前記符号化器が、前記トーナリティ検出器及び前記低周波数補償段を実装するソフトウェアによってプログラムされるプロセッサである、
請求項１０に記載の符号化器。
【請求項１７】
前記符号化器が、デジタル信号プロセッサである、
請求項１０に記載の符号化器。
【請求項１８】
前記トーナリティ検出器が、前記オーディオ・データの前記周波数帯域の少なくとも部分集合の各々の周波数帯域が顕著なトーン性コンテンツを有するかどうかを指示している補償制御データを生成するために、前記オーディオ・データに関してトーナリティ検出を遂行するように構成され、
符号化器が、前記補償制御データにより指示されるように顕著なトーン性コンテンツを有する前記オーディオ・データの前記各々の周波数帯域に対して第１の様式でマスキング値補正処理を遂行するように、かつ、前記補償制御データにより指示されるように顕著なトーン性コンテンツを欠く前記オーディオ・データの前記各々の周波数帯域に対して第２の様式で前記マスキング値補正処理を遂行するように構成される、マスキング値補正段を含む、
請求項１０に記載の符号化器。
【請求項１９】
前記マスキング値補正処理がＢＡＢＮＤＮＯＲＭ処理であり、
前記マスキング値補正段が、顕著なトーン性コンテンツを有する前記各々の周波数帯域に対して第１のスケーリング定数によって前記ＢＡＢＮＤＮＯＲＭ処理を遂行するように、かつ、顕著なトーン性コンテンツを欠く前記各々の周波数帯域に対して第２のスケーリング定数によって前記ＢＡＢＮＤＮＯＲＭ処理を遂行するように構成される、
請求項１８に記載の符号化器。
【請求項２０】
周波数領域オーディオ・データに応答して、符号化されたオーディオ・データを生成するように構成される符号化器であり、前記オーディオ・データに関して適応型低周波数補償を遂行することによることを含む、符号化器と、
前記オーディオ・データを復元するために、前記符号化されたオーディオ・データを復号するように構成される復号器と、
を含む、システムであって、
前記符号化器は、
前記オーディオ・データの少なくとも一部の低周波数帯域の集合の各々の低周波数帯域が顕著なトーン性コンテンツを有するかどうかを指示している補償制御データを生成するために、前記オーディオ・データに関してトーナリティ検出を遂行するように構成されるトーナリティ検出器と、
前記補償制御データに応答して、前記オーディオ・データの低周波数帯域の前記集合の各々の低周波数帯域に関して低周波数補償を適応的に遂行するように、結合及び構成される低周波数補償段であり、前記各々の低周波数帯域に対して、前記帯域内の前記オーディオ・データに対する予備的なマスキング値を生成すること、及び、前記各々の低周波数帯域に対して、前記帯域内の前記オーディオ・データに対するマスキング値を決定することを含んでいる、低周波数補償段と、
を含み、
前記補償制御データにより指示されるように顕著なトーン性コンテンツを有する各々の前記低周波数帯域内の前記オーディオ・データに対する前記マスキング値が、前記帯域内の前記オーディオ・データに対する前記予備的なマスキング値を補正するように、低周波数補償を遂行することにより取得され、かつ、前記集合内の各々の他の低周波数帯域内の前記オーディオ・データに対する前記マスキング値が、前記帯域内の前記オーディオ・データに対する前記予備的なマスキング値であり、
前記周波数領域オーディオ・データが、前記集合の前記各々の低周波数帯域に対する指数値を含み、かつ、前記トーナリティ検出器が、前記集合の前記各々の低周波数帯域に対して、前記オーディオ・データの指数値と、対応するテンティングされた指数との間の差の分量を決定するように構成される、
システム。
【請求項２１】
前記補償制御データが、前記集合の少なくとも１つの帯域が群衆雑音又は拍手を表すかどうかを指示している、
請求項２０に記載のシステム。
【請求項２２】
前記復号器が、前記符号化の間に低周波数補償がいずれかの低周波数帯域に適用されたか否かに関して決定すること又は通知されることなく、前記符号化されたオーディオ・データを復号するように構成される、
請求項２０に記載のシステム。
【請求項２３】
前記低周波数補償段が、前記補償制御データにより指示されるように顕著なトーン性コンテンツを欠く各々の前記低周波数帯域内の前記オーディオ・データを、少なくとも１つの修正された指数を含む修正されたオーディオ・データを生成するように再テンティングするように構成される、
請求項２０に記載のシステム。
【請求項２４】
前記低周波数補償段が、前記補償制御データにより指示されるように顕著なトーン性コンテンツを欠く各々の前記低周波数帯域内の前記オーディオ・データを、再テンティングするように構成され、
顕著なトーン性コンテンツを欠く少なくとも１つの前記低周波数帯域に対する前記修正された指数を生成することを含み、
次のより高い周波数帯域内の前記オーディオ・データの指数から前記修正された指数を引いたものが、値２、１、０、及び−１のうちの１つを有さなければならない、
請求項２３に記載のシステム。
【請求項２５】
符号化されたオーディオ・データを復号するための方法であって、
前記符号化されたオーディオ・データを指示している信号を受信するステップと、
前記オーディオ・データを指示している信号を生成するために、前記符号化されたオーディオ・データを復号するステップと、を含み、
前記符号化されたオーディオ・データが、
（ａ）周波数領域オーディオ・データに関してトーナリティ検出を遂行して、前記オーディオ・データの少なくとも一部の低周波数帯域の集合の各々の低周波数帯域が顕著なトーン性コンテンツを有するかどうかを指示している補償制御データを生成するステップと、
（ｂ）前記各々の低周波数帯域に対して、前記帯域内の前記オーディオ・データに対する予備的なマスキング値を生成するステップと、
（ｃ）前記各々の低周波数帯域に対して、前記帯域内の前記オーディオ・データに対するマスキング値を決定するステップであり、前記補償制御データにより指示されるように顕著なトーン性コンテンツを有する各々の前記低周波数帯域内の前記オーディオ・データに対する前記マスキング値が、前記帯域内の前記オーディオ・データに対する前記予備的なマスキング値を補正するために低周波数補償を遂行することにより取得され、かつ、前記集合内の各々の他の低周波数帯域内の前記オーディオ・データに対する前記マスキング値は、前記帯域内の前記オーディオ・データに対する前記予備的なマスキング値である、ステップと、によって生成され、
前記周波数領域オーディオ・データが、前記集合の前記各々の低周波数帯域に対する指数値を含み、かつ、ステップ（ａ）が、前記集合の前記各々の低周波数帯域に対して、指数値と、対応するテンティングされた指数との間の差の分量を決定するステップ、
を含む、方法。
【請求項２６】
前記補償制御データが、前記集合の少なくとも１つの帯域が群衆雑音又は拍手を表すかどうかを指示しているものであり、かつ、
ステップ（ｃ）が、
低周波数補償を遂行することなく、前記補償制御データにより指示されるように、拍手又は群衆雑音を表す前記集合の各々の低周波数帯域内の前記オーディオ・データに対して、マスキング値を生成するステップ、を含む、
請求項２５に記載の方法。
【請求項２７】
ステップ（ｃ）が、
顕著なトーン性コンテンツを欠く少なくとも１つの前記低周波数帯域に対する修正された指数を含む修正されたオーディオ・データを生成するために、前記補償制御データにより指示されるように顕著なトーン性コンテンツを欠く前記集合の各々の低周波数帯域内の前記オーディオ・データを再テンティングするステップ、を含む、
請求項２５に記載の方法。
【請求項２８】
再テンティングする前記ステップが、顕著なトーン性コンテンツを欠く少なくとも１つの前記低周波数帯域に対する前記修正された指数を生成し、次のより高い周波数帯域内の前記オーディオ・データの指数から前記修正された指数を引いたものが、値２、１、０、及び−１のうちの１つを有さなければならない、
請求項２７に記載の方法。